(57)【要約】【課題】  ユーザーの視覚に合わせて、モニター上での色再現を正確に行う。【解決手段】  制御部３１は、印刷用紙の測色値による紙色をモニター１１に表示させ、印刷用紙の色とモニター１１上の前記紙色とが同一であるとユーザーが判定したときのＲＧＢ値を、調整後紙色ＲＧＢ値として取得し、三刺激値演算部３５は、調整後紙色ＲＧＢ値に対応する三刺激値と測色値に対応する三刺激値とのそれぞれの比率である刺激値比率を計算し、印刷用紙に印刷する出力目標画像のＲＧＢ値に対応する三刺激値に対して刺激値比率を乗じて、出力目標画像の調整後三刺激値を計算する。そして、制御部３１は、この調整後三刺激値に対応するＲＧＢ値に基づく出力目標画像をモニター１１に表示させる。【選択図】  図１
2014127780.tif 000002
【特許請求の範囲】
【請求項１】
モニターと、
印刷用紙の測色値による紙色を前記モニターに表示させ、前記印刷用紙の色と前記モニター上の前記紙色とが同一であるとユーザーが判定したときのＲＧＢ値を、調整後紙色ＲＧＢ値として取得する紙色比較部と、
前記調整後紙色ＲＧＢ値に対応する三刺激値と前記測色値に対応する三刺激値とのそれぞれの比率である刺激値比率を計算し、前記印刷用紙に印刷する出力目標画像のＲＧＢ値に対応する三刺激値に対して前記刺激値比率を乗じて、出力目標画像の調整後三刺激値を計算する三刺激値演算部と、
前記調整後三刺激値に対応するＲＧＢ値に基づき前記出力目標画像を前記モニターに表示させる表示制御部と、
を備えることを特徴とする画像処理装置。
【請求項２】
前記紙色比較部は、前記モニター上の複数の領域のそれぞれについて、前記調整後紙色ＲＧＢ値を取得し、
前記三刺激値演算部は、前記複数の領域ごとにそれぞれ前記刺激値比率を計算し、前記出力目標画像の各部分の表示位置が属する領域に対応する前記刺激値比率を使用して、前記出力目標画像の調整後三刺激値を計算すること、
を特徴とする請求項１記載の画像処理装置。
【請求項３】
前記紙色比較部は、同一光源下で前記印刷用紙の色と前記モニター上の前記紙色とが同一であるとユーザーが判定したときのＲＧＢ値を、前記調整後紙色ＲＧＢ値として取得することを特徴とする請求項１または請求項２記載の画像処理装置。
【発明の詳細な説明】
【技術分野】
【０００１】
本発明は、画像処理装置に関するものである。
【背景技術】
【０００２】
ある画像処理装置では、オペレーターが、現在使用しているモニターの色特性を指定し、また、周囲の環境光の特性（光源の色温度など）を指定すると、それらに応じた色補正パラメーターを設定する（例えば特許文献１参照）。
【先行技術文献】
【特許文献】
【０００３】
【特許文献１】特開平１０−３２２５６６号公報
【発明の概要】
【発明が解決しようとする課題】
【０００４】
上述の画像処理装置では、環境光に応じた補正が行われるが、ユーザー（オペレーター）の視覚、画像の背景色（白色）などが考慮されておらず、モニター上での色再現が正確に行われない可能性がある。
【０００５】
本発明は、上記の問題に鑑みてなされたものであり、ユーザーの視覚に合わせて、モニター上での色再現を正確に行う画像処理装置を得ることを目的とする。
【課題を解決するための手段】
【０００６】
上記の課題を解決するために、本発明では以下のようにした。
【０００７】
本発明に係る画像処理装置は、モニターと、印刷用紙の測色値による紙色を前記モニターに表示させ、前記印刷用紙の色と前記モニター上の前記紙色とが同一であるとユーザーが判定したときのＲＧＢ値を、調整後紙色ＲＧＢ値として取得する紙色比較部と、前記調整後紙色ＲＧＢ値に対応する三刺激値と前記測色値に対応する三刺激値とのそれぞれの比率である刺激値比率を計算し、前記印刷用紙に印刷する出力目標画像のＲＧＢ値に対応する三刺激値に対して前記刺激値比率を乗じて、出力目標画像の調整後三刺激値を計算する三刺激値演算部と、前記調整後三刺激値に対応するＲＧＢ値に基づき前記出力目標画像を前記モニターに表示させる表示制御部とを備える。
【０００８】
これにより、ユーザーの視覚に合わせて、モニター上での色再現が正確に行われる。
【０００９】
また、本発明に係る画像処理装置は、上記の画像処理装置に加え、次のようにしてもよい。この場合、前記紙色比較部は、前記モニター上の複数の領域のそれぞれについて、前記調整後紙色ＲＧＢ値を取得し、前記三刺激値演算部は、前記複数の領域ごとにそれぞれ前記刺激値比率を計算し、前記出力目標画像の各部分の表示位置が属する領域に対応する前記刺激値比率を使用して、前記出力目標画像の調整後三刺激値を計算する。
【００１０】
これにより、モニター上での出力目標画像の表示位置を考慮して出力目標画像の色が調整されるため、モニター上での色再現がより正確に行われる。
【００１１】
また、本発明に係る画像処理装置は、上記の画像処理装置に加え、次のようにしてもよい。この場合、前記紙色比較部は、同一光源下で前記印刷用紙の色と前記モニター上の前記紙色とが同一であるとユーザーが判定したときのＲＧＢ値を、前記調整後紙色ＲＧＢ値として取得する。
【発明の効果】
【００１２】
本発明によれば、ユーザーの視覚に合わせて、モニター上での色再現が正確に行われる。
【図面の簡単な説明】
【００１３】
【図１】図１は、本発明の実施の形態に係る画像形成装置の構成を示すブロック図である。
【図２】図２は、図１に示す画像形成装置の動作を説明するフローチャートである。
【図３】図３は、図１に示す画像形成装置による出力目標画像の色調整を説明する図である。
【発明を実施するための形態】
【００１４】
以下、図に基づいて本発明の実施の形態を説明する。
【００１５】
図１は、本発明の実施の形態に係る画像形成装置の構成を示すブロック図である。図１に示す画像形成装置１は、複写機、複合機などであり、画像処理装置の一例である。
【００１６】
図に示す画像形成装置１は、モニター１１、入力装置１２、記憶装置１３、および演算処理装置１４を有する。
【００１７】
モニター１１は、操作画面、各種画像、各種メッセージなどを表示する装置である。モニター１１は、画像形成装置１内の図示せぬ印刷装置で印刷すべき出力目標画像を表示する。モニター１１としては、例えば液晶ディスプレイが使用される。
【００１８】
入力装置１２は、ユーザー操作を受け付け、そのユーザー操作に対応した電気信号を出力する装置である。入力装置１２としては、タッチパネルなどが使用される。
【００１９】
記憶装置１３は、不揮発性の記憶装置であって、各種データを格納する。
【００２０】
演算処理装置１４は、ＡＳＩＣ（Application Specific Integrated Circuit）、マイクロコンピューターなどで実現され、各種処理部を実現する。演算処理装置１４は、処理部として、制御部３１、データ保存部３２、第１変換部３３、第２変換部３４、および三刺激値演算部３５を実現する。
【００２１】
制御部３１は、（ａ）印刷用紙の測色値による紙色（白色）をモニター１１に表示させ、（ｂ）入力装置１２に対するユーザー操作に応じて紙色のＲＧＢ値を変更し、変更後のＲＧＢ値で紙色をモニター１１に表示させ、（ｃ）印刷用紙の色とモニター１１上の紙色とが同一であるとユーザーが判定したとき（つまり、印刷用紙の色とモニター１１上の紙色とが同一であるとユーザーが判断したときに行われる所定のユーザー操作が入力装置１２により検出されたとき）のＲＧＢ値を、調整後紙色ＲＧＢ値として取得する。
【００２２】
この実施の形態では、モニター１１上の複数の領域のそれぞれについて、調整後紙色ＲＧＢ値を取得する。
【００２３】
また、この実施の形態では、同一光源下で印刷用紙（実物）の色とモニター上の紙色とが同一であるとユーザーが判定したときのＲＧＢ値が、調整後紙色ＲＧＢ値として取得される。
【００２４】
例えば、印刷用紙の測色値を予め測定しておき、そのＲＧＢ値を記憶装置１３に記憶しておき、制御部３１は、記憶装置１３に記憶されている測色値を読み出して使用する。あるいは、印刷用紙の測色値は、ダウンロードで図示せぬサーバーなどから取得されるようにしてもよい。
【００２５】
また、制御部３１は、後述のようにして調整されたＲＧＢ値に基づき出力目標画像をモニター１１に表示させる。
【００２６】
この実施の形態では、制御部３１は、調整パネル２１をモニター１１に表示させ、調整パネル２１において、紙色、およびユーザー操作用の操作部（ＲＧＢ値を調整するための入力フィールド、スライドバーなど）を表示させる。
【００２７】
データ保存部３２は、第１変換部３３、第２変換部３４、および三刺激値演算部３５による演算結果を保存する。演算処理装置１４は、図示せぬメモリーを有し、データ保存部３２は、そのメモリーあるいは記憶装置１３に、その演算結果を記憶する。
【００２８】
第１変換部３３は、ルックアップテーブル４１を使用して、ＲＧＢ値とＬ＊ａ＊ｂ＊値との間の色変換を行う。第２変換部３４は、Ｌ＊ａ＊ｂ＊値と三刺激値（ＸＹＺ値）との間の色変換を行う。なお、ルックアップテーブル４１は、モニター１１の色特性に合わせたものであり、演算処理装置１４内の図示せぬ不揮発性メモリーに予め記憶されていてもよいし、記憶装置１３に予め記憶されていてもよい。
【００２９】
三刺激値演算部３５は、（ａ）調整後紙色ＲＧＢ値に対応する三刺激値と測色値（つまり、制御部３１による調整前の紙色の初期値）に対応する三刺激値とのそれぞれの比率である刺激値比率を計算し、（ｂ）印刷用紙に印刷する出力目標画像のＲＧＢ値に対応する三刺激値に対して刺激値比率を乗じて、出力目標画像の調整後三刺激値を計算する。
【００３０】
この実施の形態では、三刺激値演算部３５は、上述の複数の領域ごとにそれぞれ刺激値比率を計算し、出力目標画像の各部分の表示位置が属する領域に対応する刺激値比率を使用して、出力目標画像の調整後三刺激値を計算する。
【００３１】
次に、上記画像処理装置の動作について説明する。
【００３２】
図２は、図１に示す画像形成装置１の動作を説明するフローチャートである。図３は、図１に示す画像形成装置１による出力目標画像の色調整を説明する図である。
【００３３】
まず、制御部３１は、印刷用紙の測色値（Ｌ＊ａ＊ｂ＊値）を取得する（ステップＳ１）。データ保存部３２は、この測色値を保存する（ステップＳ２）。
【００３４】
そして、第１変換部３３は、この測色値を、ルックアップテーブル４１に基づきモニター１１の色特性に合わせたＲＧＢ値へ変換する（ステップＳ３）。データ保存部３２は、このＲＧＢ値を保存する。制御部３１は、この測色値に対応するＲＧＢ値で、印刷用紙の紙色を例えばパッチ画像としてモニター１１の調整パネル２１に表示させる（ステップＳ４）。
【００３５】
データ保存部３２は、上述のＲＧＢ値を第１変換部３３へ読み出し（ステップＳ５）、第１変換部３３は、そのＲＧＢ値をＬ＊ａ＊ｂ＊値へ変換する（ステップＳ６）。データ保存部３２は、このＬ＊ａ＊ｂ＊値を保存する。
【００３６】
データ保存部３２は、そのＬ＊ａ＊ｂ＊値を第２変換部３４へ読み出し、第２変換部３４は、そのＬ＊ａ＊ｂ＊値をＸＹＺ値へ変換する（ステップＳ７）。データ保存部３２は、このＸＹＺ値を保存する（ステップＳ８）。
【００３７】
このようにして、ユーザーによる調整前の紙色のＸＹＺ値が保存される。
【００３８】
次に、制御部３１は、ユーザー操作に従って、表示中の紙色のＲＧＢ値の調整を行う（ステップＳ９）。
【００３９】
このとき、ユーザーは、印刷用紙とモニター１１に表示中の紙色とを同一光源下で見比べて、両者が同一色であると認識されるようにＲＧＢ値を調整するための操作を入力装置１２に対して行う。そして、制御部３１は、その操作に応じてＲＧＢ値を変更し、変更後のＲＧＢ値の紙色をモニター１１に表示させる。
【００４０】
この処理を繰り返し行い、ユーザーは、両者が同一色であると認識した場合、所定の操作を入力装置１２に対して行い、制御部３１は、その操作を検出したときのＲＧＢ値を、ユーザーによる調整後のＲＧＢ値として特定する。
【００４１】
ここで、図３に示すように、制御部３１は、モニター１１の表示領域を複数に分割し、各分割領域についてそれぞれ紙色を調整位置において表示させ、ユーザーは、各分割領域の紙色のＲＧＢ値を調整していき、すべての領域において両者が同一色であると認識した場合、所定の操作を入力装置１２に対して行い、制御部３１は、その操作を検出したときの各分割領域のＲＧＢ値を、各分割領域についての、ユーザーによる調整後のＲＧＢ値として特定する。
【００４２】
データ保存部３２は、このようにして特定された調整後のＲＧＢ値を保存する（ステップＳ１０）。
【００４３】
第１変換部３３は、その調整後のＲＧＢ値をＬ＊ａ＊ｂ＊値へ変換する（ステップＳ１１）。データ保存部３２は、このＬ＊ａ＊ｂ＊値を保存する。データ保存部３２は、このＬ＊ａ＊ｂ＊値を第２変換部３４へ読み出し、第２変換部３４は、その調整後のＬ＊ａ＊ｂ＊値をＸＹＺ値へ変換する（ステップＳ１２）。データ保存部３２は、このＸＹＺ値を保存する（ステップＳ１３）。
【００４４】
このようにして、ユーザーによる調整後の紙色のＸＹＺ値が保存される。
【００４５】
次に、データ保存部３２は、出力目標画像のＲＧＢ値を取得する（ステップＳ１４）。例えば、出力目標画像のＲＧＢ値は、記憶装置１３、または演算処理装置１４内のメモリーに記憶されている。
【００４６】
そして、第１変換部３３は、その出力目標画像のＲＧＢ値をＬ＊ａ＊ｂ＊値へ変換する（ステップＳ１５）。データ保存部３２は、このＬ＊ａ＊ｂ＊値を保存する。
【００４７】
データ保存部３２は、このＬ＊ａ＊ｂ＊値を第２変換部３４へ読み出し、第２変換部３４は、その出力目標画像のＬ＊ａ＊ｂ＊値をＸＹＺ値へ変換する（ステップＳ１６）。データ保存部３２は、このＸＹＺ値を保存する。
【００４８】
ここで、データ保存部３２は、調整前の紙色のＸＹＺ値（Ｘｗ，Ｙｗ，Ｚｗ）と、調整後の紙色のＸＹＺ値（Ｘｗ’，Ｙｗ’，Ｚｗ’）とを読み出し、三刺激値演算部３５は、まず、分割領域ごとに、刺激値比率（Ｘｗ’／Ｘｗ，Ｙｗ’／Ｙｗ，Ｚｗ’／Ｚｗ）を計算する（ステップＳ１７）。データ保存部３２は、この刺激値比率を保存する。
【００４９】
次に、データ保存部３２は、出力目標画像のＸＹＺ値（Ｘ，Ｙ，Ｚ）と、刺激値比率（Ｘｗ’／Ｘｗ，Ｙｗ’／Ｙｗ，Ｚｗ’／Ｚｗ）とを三刺激値演算部３５へ読み出し、三刺激値演算部３５は、出力目標画像のＸＹＺ値（Ｘ，Ｙ，Ｚ）に刺激値比率（Ｘｗ’／Ｘｗ，Ｙｗ’／Ｙｗ，Ｚｗ’／Ｚｗ）をそれぞれ乗じて、調整後の出力目標画像のＸＹＺ値を計算する（ステップＳ１８）。
【００５０】
このとき、三刺激値演算部３５は、出力目標画像の各部分の表示位置が属する領域に対応する刺激値比率を使用して、出力目標画像の調整後三刺激値を計算する。
【００５１】
データ保存部３２は、この調整後の出力目標画像のＸＹＺ値を保存する（ステップＳ１９）。
【００５２】
データ保存部３２は、この調整後の出力目標画像のＸＹＺ値を第２変換部３４へ読み出し、第２変換部３４は、その調整後の出力目標画像のＸＹＺ値をＬ＊ａ＊ｂ＊値へ変換する（ステップＳ２０）。データ保存部３２は、このＬ＊ａ＊ｂ＊値を保存する。
【００５３】
データ保存部３２は、この調整後の出力目標画像のＬ＊ａ＊ｂ＊値を第１変換部３３へ読み出し、第１変換部３３は、その調整後の出力目標画像のＬ＊ａ＊ｂ＊値をＲＧＢ値へ変換する（ステップＳ２１）。データ保存部３２は、このＲＧＢ値を保存する。
【００５４】
データ保存部３２は、この調整後の出力目標画像のＲＧＢ値を制御部３１へ読み出し、制御部３１は、その調整後の出力目標画像のＲＧＢ値に基づき、出力目標画像を図３に示すようにモニター１１に表示させる（ステップＳ２２）。
【００５５】
以上のように、上記実施の形態によれば、制御部３１は、印刷用紙の測色値による紙色をモニター１１に表示させ、印刷用紙の色とモニター１１上の前記紙色とが同一であるとユーザーが判定したときのＲＧＢ値を、調整後紙色ＲＧＢ値として取得し、三刺激値演算部３５は、調整後紙色ＲＧＢ値に対応する三刺激値と測色値に対応する三刺激値とのそれぞれの比率である刺激値比率を計算し、印刷用紙に印刷する出力目標画像のＲＧＢ値に対応する三刺激値に対して刺激値比率を乗じて、出力目標画像の調整後三刺激値を計算する。そして、制御部３１は、この調整後三刺激値に対応するＲＧＢ値に基づく出力目標画像をモニター１１に表示させる。
【００５６】
これにより、ユーザーの視覚に合わせて、モニター上での色再現が正確に行われる。
【００５７】
なお、上述の実施の形態は、本発明の好適な例であるが、本発明は、これらに限定されるものではなく、本発明の要旨を逸脱しない範囲において、種々の変形、変更が可能である。
【産業上の利用可能性】
【００５８】
本発明は、例えば、画像形成装置での印刷すべき画像のプレビューに適用可能である。
【符号の説明】
【００５９】
１  画像形成装置（画像処理装置の一例）
１１    モニター
３１  制御部（紙色比較部の一例，表示制御部の一例）
３５  三刺激値演算部
【図１】
2014127780.tif 000003
【図２】
2014127780.tif 000004
【図３】
2014127780.tif 000005